(57)【要約】      （修正有）【課題】精度よく被検出物を検出することができる検出装置及び検出方法を提供する。【解決手段】センサにおける電磁波の透過率又は反射率に基づいてサンプルに含まれる被検出物又はサンプルから抽出した特定の被検出物の有無を検出する検出装置は、照射部と、検出部と、制御部と、を備える。制御部は、照射部及び検出部を用いて、サンプルから抽出した特定の被検出物が添加されていないセンサの電磁波のリファレンス透過率又はリファレンス反射率を複数の周波数でそれぞれ測定し、照射部及び検出部を用いて、サンプルから抽出した特定の被検出物が添加されたセンサの電磁波の検出透過率又は検出反射率を複数の周波数でそれぞれ測定し、複数の周波数におけるリファレンス透過率又はリファレンス反射率及び複数の周波数における検出透過率又は検出反射率に基づいて被検出物を検出する。【選択図】図１
2019049453.tif 000002
【特許請求の範囲】
【請求項１】
センサにおける電磁波の透過率又は反射率に基づいてサンプルに含まれる被検出物又はサンプルから抽出した特定の被検出物を検出する検出装置であって、
前記センサに電磁波を照射する照射部と、
前記照射部が照射し前記センサを透過した透過波又は前記照射部が照射し前記センサで反射した反射波の強度を検出する検出部と、
前記照射部及び前記検出部を用いて、前記サンプルから抽出した特定の被検出物が添加されていない前記センサの電磁波のリファレンス透過率又はリファレンス反射率を複数の周波数でそれぞれ測定し、
前記照射部及び前記検出部を用いて、前記サンプルから抽出した特定の被検出物が添加された前記センサの電磁波の検出透過率又は検出反射率を前記複数の周波数でそれぞれ測定し、
前記複数の周波数におけるリファレンス透過率又はリファレンス反射率及び前記複数の周波数における検出透過率又は検出反射率に基づいて前記被検出物を検出する、
制御部と、
を備える検出装置。
【請求項２】
前記制御部は、
前記複数の周波数の中で、前記サンプルから抽出した特定の被検出物が添加されていない前記センサの電磁波の透過率又は反射率と前記サンプルから抽出した特定の被検出物が添加された前記センサの電磁波の透過率又は反射率との差が最も大きい検出用周波数を特定し、
前記照射部及び前記検出部を用いて、前記サンプルから抽出した特定の被検出物が添加されていない前記センサの電磁波のリファレンス透過率又はリファレンス反射率を前記検出用周波数で測定し、
前記照射部及び前記検出部を用いて、前記サンプルから抽出した特定の被検出物が添加された前記センサの電磁波の検出透過率又は検出反射率を前記検出用周波数で測定し、
前記検出用周波数におけるリファレンス透過率又はリファレンス反射率及び前記検出用周波数における検出透過率又は検出反射率に基づいて前記被検出物を検出する、
前記請求項１に記載の検出装置。
【請求項３】
前記センサは、前記サンプルから抽出した特定の被検出物が添加されていない第１の領域と前記サンプルから抽出した特定の被検出物が添加された第２の領域とから構成され、
前記制御部は、
前記第１の領域に前記複数の周波数の電磁波を照射して前記複数の電磁波のリファレンス透過率又はリファレンス反射率を測定し、
前記第２の領域に前記複数の周波数の電磁波を照射して前記複数の電磁波のリファレンス透過率又はリファレンス反射率を測定する、
前記請求項１又は２に記載の検出装置。
【請求項４】
前記照射部は、印加された電圧に応じた周波数の電磁波を照射する素子を備える、
前記請求項１乃至３の何れか１項に記載の検出装置。
【請求項５】
センサにおける電磁波の透過率又は反射率に基づいてサンプルに含まれる被検出物又はサンプルから抽出した特定の被検出物を検出する検出方法であって、
前記サンプルから抽出した特定の被検出物が添加されていない前記センサの電磁波のリファレンス透過率又はリファレンス反射率を複数の周波数でそれぞれ測定し、
前記サンプルから抽出した特定の被検出物が添加された前記センサの電磁波の検出透過率又は検出反射率を複数の周波数でそれぞれ測定し、
前記複数の周波数におけるリファレンス透過率又はリファレンス反射率及び前記複数の周波数における検出透過率又は検出反射率に基づいて前記被検出物を検出する、
検出方法。
【発明の詳細な説明】
【技術分野】
【０００１】
本発明の実施形態は、検出装置及び検出方法に関する。
【背景技術】
【０００２】
空隙が配置された構造体に電磁波が照射されると、電磁波の反射率又は透過率について空隙の特性に由来する周波数特性が生じる。構造体に物質が付着した場合、反射率又は透過率の周波数特性は、当該物質の存在のため変化する。
【０００３】
上記の特性を利用して、構造体を有するセンサを用いて所定の物質（被検出物）の有無を検出する技術が知られている。
【先行技術文献】
【特許文献】
【０００４】
【特許文献１】特開２００８−１８５５５２号公報
【発明の概要】
【発明が解決しようとする課題】
【０００５】
精度よく被検出物を検出することができる検出装置及び検出方法を提供する。
【課題を解決するための手段】
【０００６】
実施形態によれば、センサにおける電磁波の透過率又は反射率に基づいてサンプルに含まれる被検出物又はサンプルから抽出した特定の被検出物を検出する検出装置は、照射部と、検出部と、制御部と、を備える。照射部は、センサに電磁波を照射する。検出部は、照射部が照射しセンサを透過した透過波又は照射部が照射しセンサで反射した反射波の強度を検出する。制御部は、照射部及び検出部を用いて、サンプルから抽出した特定の被検出物が添加されていないセンサの電磁波のリファレンス透過率又はリファレンス反射率を複数の周波数でそれぞれ測定し、照射部及び検出部を用いて、サンプルから抽出した特定の被検出物が添加されたセンサの電磁波の検出透過率又は検出反射率を複数の周波数でそれぞれ測定し、複数の周波数におけるリファレンス透過率又はリファレンス反射率及び複数の周波数における検出透過率又は検出反射率に基づいて被検出物を検出する。
【図面の簡単な説明】
【０００７】
【図１】図１は、第１の実施形態に係る検出装置の構成例を示す図である。
【図２】図２は、第１の実施形態に係る電磁波発生素子の特性の例を示すグラフである。
【図３】図３は、第１の実施形態に係る制御装置の構成例を示すブロック図である。
【図４】図４は、第１の実施形態に係る検出センサの例を示す上面図である。
【図５】図５は、第１の実施形態に係る検出センサの例を示す断面図である。
【図６】図６は、第１の実施形態に係る検出装置の動作例を示す図である。
【図７】図７は、第１の実施形態に係る検出装置の動作例を示すフローチャートである。
【図８】図８は、第１の実施形態に係る検出装置の動作例を示すフローチャートである。
【図９】図９は、第１の実施形態に係る検出センサの透過率の例を示すグラフである。
【図１０】図１０は、第２の実施形態に係る検出装置の動作例を示すフローチャートである。
【図１１】図１１は、第２の実施形態に係る検出装置の動作例を示すフローチャートである。
【図１２】図１２は、第３の実施形態に係る検出装置の構成例を示す図である。
【図１３】図１３は、第４の実施形態に係る検出装置の構成例を示す図である。
【図１４】図１４は、第４の実施形態に係る検出センサの例を示す上面図である。
【図１５】図１５は、第４の実施形態に係る検出センサの例を示す断面図である。
【図１６】図１６は、第４の実施形態に係る検出装置の動作例を示す図である。
【図１７】図１７は、第４の実施形態に係る検出装置の動作例を示すフローチャートである。
【発明を実施するための形態】
【０００８】
以下、図面を参照して実施形態について説明する。なお、各図は実施形態とその理解を促すための模式図であり、その形状や寸法、比などは適宜、設計変更することができる。
（第１の実施形態）
まず、第１の実施形態について説明する。  
第１の実施形態に係る検出装置は、たとえば、サンプルから抽出した特定の菌（被検出物）などの有機物の有無を検出する。検出装置は、空隙が設けられた構造体を有する検出センサに対して所定の周波数を有する電磁波を照射し検出センサを透過した透過波を検出する。検出センサは、サンプルから抽出した特定の菌が添加されていない第１の領域とサンプルから抽出した特定の菌が添加された第２の領域とから構成される。検出装置は、第１の領域の透過率と第２の領域の透過率とを測定する。検出システムは、両透過率が一致しない場合に、検出センサ上に被検出物が堆積していると判定する。
【０００９】
図１は、検出装置１の構成例を示す。図１が示すように、検出装置１は、制御装置１０、Ｄ／Ａコンバータ２０、電磁波発生素子３０、電磁波受光素子４０、Ａ／Ｄコンバータ５０、駆動部６０及び検出センサ１００などを備える。制御装置１０とＤ／Ａコンバータ２０、Ａ／Ｄコンバータ５０及び駆動部６０とは、互いに電気的に接続される。Ｄ／Ａコンバータ２０と電磁波発生素子３０とは、互いに電気的に接続される。電磁波受光素子４０とＡ／Ｄコンバータ５０とは、互いに電気的に接続される。
【００１０】
制御装置１０は、検出装置１全体を制御する。制御装置１０は、制御信号を送信し各部を制御する。また、制御装置１０は、検出装置１の各部から種々の信号を受信する。たとえば、制御装置１０は、駆動部６０に対して検出センサ１００を所定の位置に移動させる制御信号を送信する。また、制御装置１０は、Ｄ／Ａコンバータ２０に対して電磁波発生素子３０に電力を供給することを指示する制御信号を送信する。また、制御装置１０は、Ａ／Ｄコンバータ５０から電磁波受光素子４０が受光した電磁波の強度を示すセンサ信号を受信する。制御装置１０は、センサ信号などに基づいて検出センサ１００上に被検出物があるかを判定する。  
制御装置１０については、後に詳述する。
【００１１】
Ｄ／Ａコンバータ２０は、制御装置１０からの制御信号に基づいて電磁波発生素子３０に電圧を印加する。即ち、Ｄ／Ａコンバータ２０は、制御信号をアナログ信号に変換して電磁波発生素子３０に印加する。Ｄ／Ａコンバータ２０は、制御信号に基づく電圧を電磁波発生素子３０に印加する。Ｄ／Ａコンバータ２０は、少なくとも異なる２つの電圧（第１の電圧及び第２の電圧）を電磁波発生素子３０に印加する。たとえば、Ｄ／Ａコンバータ２０は、電圧を指示する制御信号を受信し、当該電圧を電磁波発生素子３０に印加する。
【００１２】
電磁波発生素子３０は、Ｄ／Ａコンバータ２０からの電力によって電磁波を検出センサ１００に照射する。電磁波発生素子３０は、Ｄ／Ａコンバータ２０によって印加された電圧に応じた周波数の電磁波を照射する。たとえば、電磁波発生素子３０は、数テラヘルス程度の周波数の電磁波を照射する。
【００１３】
図２は、電磁波発生素子３０が照射する電磁波の周波数を示すグラフである。図２では、横軸は、電圧を示す。縦軸は、周波数を示す。図２が示すように、電磁波発生素子３０は、電圧が上がるほど高い周波数の電磁波を照射する。電磁波発生素子３０は、第１の電圧が印加された場合、第１の周波数の電磁波を照射する。また、電磁波発生素子３０は、第２の電圧が印加された場合、第２の周波数の電磁波を照射する。  
なお、電磁波発生素子３０の電圧特性は、特定の構成に限定されるものではない。  
Ｄ／Ａコンバータ２０及び電磁波発生素子３０は、照射部を構成する。
【００１４】
電磁波受光素子４０は、電磁波発生素子３０から照射され検出センサ１００を透過した透過波の強度を検出する。たとえば、電磁波受光素子４０は、強度に応じた電圧をＡ／Ｄコンバータ５０に出力する。また、電磁波受光素子４０は、フォトトランジスタなどであってもよい。
【００１５】
Ａ／Ｄコンバータ５０は、電磁波受光素子４０が検出した強度を示すセンサ信号（たとえば、デジタル信号）を生成する。Ａ／Ｄコンバータ５０は、センサ信号を制御装置１０に送信する。  
電磁波受光素子４０及びＡ／Ｄコンバータ５０は、検出部を構成する。
【００１６】
駆動部６０は、制御装置１０からの制御信号に従って検出センサ１００を移動させる。駆動部６０は、電磁波発生素子３０からの電磁波を検出センサ１００の任意の位置に照射するため、検出センサ１００を移動させる。ここでは、駆動部６０は、電磁波発生素子３０が照射する電磁波の方向と垂直な方向に検出センサ１００を移動させる。駆動部６０は、たとえば、モータ及び駆動ベルトなどから構成される。
【００１７】
検出センサ１００は、電磁波発生素子３０からの電磁波を所定の透過率で電磁波受光素子４０に透過させる。検出センサ１００は、所定の周波数特性を有する。即ち、検出センサ１００は、電磁波の周波数によって透過率が異なる構成を有する。また、菌などの有機物（被検出物）が検出センサ１００の表面に付着すると、検出センサ１００の透過率が変化する。  
検出センサ１００については、後に詳述する。
【００１８】
次に、制御装置１０について説明する。  
図３は、制御装置１０の構成例を示すブロック図である。  
図３が示す構成例において、制御装置１０は、プロセッサ１１（制御部）、ＲＯＭ１２、ＲＡＭ１３、ＮＶＭ１４、インターフェース１５、操作部１６及び表示部１７などを備える。これらの各部は、データバスを介して互いに接続される。なお、制御装置１０は、図２が示すような構成の他に必要に応じた構成を具備したり、特定の構成が除外されたりしてもよい。
【００１９】
プロセッサ１１は、制御装置１０全体の動作を制御する機能を有する。プロセッサ１１は、内部キャッシュおよび各種のインターフェースなどを備えてもよい。プロセッサ１１は、内部メモリ、ＲＯＭ１２又はＮＶＭ１４が予め記憶するプログラムを実行することにより種々の処理を実現する。
【００２０】
なお、プロセッサ１１がプログラムを実行することにより実現する各種の機能のうちの一部は、ハードウエア回路により実現されるものであってもよい。この場合、プロセッサ１１は、ハードウエア回路により実行される機能を制御する。
【００２１】
ＲＯＭ１２は、制御プログラム及び制御データなどが予め記憶された不揮発性のメモリである。ＲＯＭ１２に記憶される制御プログラム及び制御データは、制御装置１０の仕様に応じて予め組み込まれる。ＲＯＭ１２は、たとえば、制御装置１０の回路基板を制御するプログラム（たとえば、ＢＩＯＳ）などを格納する。
【００２２】
ＲＡＭ１３は、揮発性のメモリである。ＲＡＭ１３は、プロセッサ１１の処理中のデータなどを一時的に格納する。ＲＡＭ１３は、プロセッサ１１からの命令に基づき種々のアプリケーションプログラムを格納する。また、ＲＡＭ１３は、アプリケーションプログラムの実行に必要なデータ及びアプリケーションプログラムの実行結果などを格納してもよい。
【００２３】
ＮＶＭ１４は、データの書き込み及び書き換えが可能な不揮発性のメモリである。ＮＶＭ１４は、たとえば、ＨＤＤ（Hard Disk Drive）、ＳＳＤ（Solid State Drive）、ＥＥＰＲＯＭ（登録商標）又はフラッシュメモリなどから構成される。ＮＶＭ１４は、制御装置１０の運用用途に応じて制御プログラム、アプリケーション及び種々のデータなどを格納する。
【００２４】
インターフェース１５は、Ｄ／Ａコンバータ２０、Ａ／Ｄコンバータ５０及び駆動部６０とデータを送受信するためのインターフェースである。インターフェース１５は、Ｄ／Ａコンバータ２０、Ａ／Ｄコンバータ５０及び駆動部６０のそれぞれに対応するインターフェースから構成されてもよい。たとえば、インターフェース１５は、ＵＳＢ接続をサポートするものであってもよい。
【００２５】
操作部１６は、オペレータから種々の操作の入力を受け付ける。操作部１６は、受け付けた操作を示す信号をプロセッサ１１へ送信する。たとえば、操作部１６は、キーボード、テンキー及びタッチパネルから構成される。
【００２６】
表示部１７は、プロセッサ１１の制御により種々の情報を表示する。たとえば、表示部１７は、液晶モニタから構成される。なお、操作部１６がタッチパネルなどで構成される場合、表示部１７は、操作部１６と一体的に形成されてもよい。
【００２７】
次に、検出センサ１００について説明する。図４は、検出センサ１００の上面図である。図５は、Ｆ５−Ｆ５の断面図である。  
図４及び図５が示すように、検出センサ１００は、基材１０１及び構造体１０２などから構成される。
【００２８】
基材１０１は、たとえば、所定の大きさの矩形に形成される。基材１０１は、電磁波発生素子３０が照射する電磁波に対して変化を生じさせない素材から構成されるのが望ましい。即ち、基材１０１は、電磁波発生素子３０が照射する電磁波の周波数帯において透過性を有する素材から構成されることが望ましい。たとえば、基材１０１は、シリコンウエハなどから構成される。また、基材１０１は、ポリエチレンなどの有機材料から構成されてもよい。
【００２９】
たとえば、基材の厚さは、１００〜８００μｍの範囲である。たとえば、基材１０１の厚さは、５２５μｍ程度である。  
なお、基材１０１の素材及び外寸は、特定の構成に限定されるものではない。
【００３０】
構造体１０２は、透過率における周波数特性においてピークを有する。構造体１０２は、ピークに寄与する所定の形状の構造体から構成される。構造体１０２は、電磁波発生素子３０が照射する電磁波の周波数帯においてピークを有することが望ましい。
【００３１】
たとえば、構造体１０２は、金又はアルミニウムなどの導電体から形成される。構造体１０２は、複数の層を備える構造であってもよい。たとえば、構造体１０２は、基材１０１との接着層としてクロム又はチタンなどの層を備えてもよい。  
たとえば、構造体１０２の厚さは、０．１μｍから５０μｍの範囲である。たとえば、構造体１０２の厚さは、０．２μｍ程度である。
【００３２】
構造体１０２は、周期的に配置される周期構造体として基材１０１上に複数個形成される。
【００３３】
構造体１０２は、環状構造である。構造体１０２は、環の一部が切断する構造である。即ち、構造体１０２は、Ｃ字型に形成される。たとえば、構造体１０２の外寸は、１８μｍ程度である。また、構造体１０２の幅（環の幅）は、３μｍ程度である。  
構造体１０２は、分割リング共振器を形成する。構造体１０２は、分割リング共振器によってＬＣＲ（コイル、コンデンサ、抵抗）回路を形成する。構造体１０２は、ＬＣＲ回路によって所定の共振周波数において共振特性を有する。  
なお、構造体１０２の形状及び大きさは、特定の構成に限定されるものではない。
【００３４】
検出センサ１００は、第１の領域１００ａ及び第２の領域１００ｂに分割される。  
第１の領域１００ａと第２の領域１００ｂとは、それぞれ同一の構造体１０２を有する。即ち、第１の領域１００ａと第２の領域１００ｂとは、被検出物が存在しない状態では、同一の周波数特性を有する。
【００３５】
第１の領域１００ａは、サンプルから抽出した特定の被検出物が添加されない領域である。第１の領域１００ａは、検出センサ１００が元々有している周波数特性を有する。
【００３６】
第２の領域１００ｂは、サンプルから抽出した特定の被検出物が添加される領域である。サンプルに被検出物が存在する場合、第２の領域１００ｂの周波数特性の共振周波数は、サンプルが持つ誘電率に応じて変化する。即ち、第２の領域１００ｂの周波数特性のピークの位置が変化する。プロセッサ１１は、この変化量に応じて抽出したサンプルの量を把握することもできる。
【００３７】
たとえば、被検出物は、磁性ビーズを有する。また、被検出物は、抗体などで検出センサ１００の第２の領域１００ｂに固定される。
【００３８】
第２の領域１００ｂの構造体１０２に磁性ビーズを有する被検出物が堆積すると、第２の領域１００ｂのＬＣＲ回路の特性が変化する。主に、第２の領域１００ｂのコンダクタンスが被検出物の磁性ビーズによって変化する。そのため、第２の領域１００ｂが有する共振周波数が変化し、第２の領域１００ｂの周波数特性が変化する。
【００３９】
次に、制御装置１０が実現する機能について説明する。以下の機能は、制御装置１０のプロセッサ１１がＮＶＭ１４などに格納されるプログラムを実行することで実現される。  
ここでは、検出センサ１００の第２の領域１００ｂには、サンプルから抽出した特定の被検出物が添加されているものとする。
【００４０】
まず、制御装置１０のプロセッサ１１は、検出センサ１００の第１の領域１００ａの透過率（リファレンス透過率）を第１の周波数及び第２の周波数で測定する機能を有する。
【００４１】
たとえば、プロセッサ１１は、電磁波発生素子３０からの電磁波が検出センサ１００の第１の領域１００ａに照射されるように、駆動部６０を用いて検出センサ１００を移動させる。即ち、プロセッサ１１は、インターフェース１５を通じて駆動部６０に検出センサ１００を所定の位置に移動させる制御信号を送信する。駆動部６０は、当該制御信号に従って検出センサ１００を移動させる。
【００４２】
図１が示す例は、プロセッサ１１が電磁波発生素子３０からの電磁波が第１の領域１００ａに照射されるように、検出センサ１００を移動させた状態の例である。図１が示すように、検出センサ１００は、電磁波発生素子３０が第１の領域１００ａに電磁波を照射することができる位置に移動されている。
【００４３】
なお、検出センサ１００のデフォルトの位置が、電磁波発生素子３０からの電磁波が第１の領域１００ａに照射される位置であれば、プロセッサ１１は、検出センサ１００を移動させなくともよい。
【００４４】
検出センサ１００に移動させると、プロセッサ１１は、電磁波発生素子３０を用いて第１の周波数の電磁波を検出センサ１００の第１の領域１００ａに照射する。たとえば、プロセッサ１１は、インターフェース１５を通じて第１の電圧を設定する制御信号をＤ／Ａコンバータ２０へ送信する。プロセッサ１１は、電圧（第１の電圧）を電磁波発生素子３０に印加することを指示する制御信号をＤ／Ａコンバータ２０に送信する。Ｄ／Ａコンバータ２０は、制御信号に従って第１の電圧を電磁波発生素子３０に印加する。電磁波発生素子３０は、印加された第１の電圧によって第１の周波数の電磁波を検出センサ１００の第１の領域１００ａに照射する。
【００４５】
第１の周波数の電磁波を第１の領域１００ａに照射すると、プロセッサ１１は、電磁波受光素子４０を用いて第１の領域１００ａからの透過波の強度を取得する。たとえば、電磁波受光素子４０は、透過波の強度に対応する電圧をＡ／Ｄコンバータ５０に出力する。Ａ／Ｄコンバータ５０は、当該電圧に従って透過波の強度を示すセンサ信号を生成し制御装置１０へ送信する。プロセッサ１１は、インターフェース１５を通じて当該センサ信号を受信する。
【００４６】
透過波の強度を取得すると、プロセッサ１１は、電磁波発生素子３０が照射する電磁波の強度と透過波の強度となどから第１の周波数における透過率（第１のリファレンス透過率）を算出する。
【００４７】
第１のリファレンス透過率を算出すると、プロセッサ１１は、電磁波発生素子３０を用いて第２の周波数の電磁波を検出センサ１００の第１の領域１００ａに照射する。たとえば、プロセッサ１１は、インターフェース１５を通じて第２の電圧を設定する制御信号をＤ／Ａコンバータ２０へ送信する。プロセッサ１１は、電圧（第２の電圧）を電磁波発生素子３０に印加することを指示する制御信号をＤ／Ａコンバータ２０に送信する。Ｄ／Ａコンバータ２０は、制御信号に従って第２の電圧を電磁波発生素子３０に印加する。電磁波発生素子３０は、印加された第２の電圧によって第２の周波数の電磁波を検出センサ１００の第１の領域１００ａに照射する。
【００４８】
第２の周波数の電磁波を第１の領域１００ａに照射すると、プロセッサ１１は、電磁波受光素子４０を用いて第１の領域１００ａからの透過波の強度を取得する。たとえば、電磁波受光素子４０は、透過波の強度に対応する電圧をＡ／Ｄコンバータ５０に出力する。Ａ／Ｄコンバータ５０は、当該電圧に従って透過波の強度を示すセンサ信号を生成し制御装置１０へ送信する。プロセッサ１１は、インターフェース１５を通じて当該センサ信号を受信する。
【００４９】
透過波の強度を取得すると、プロセッサ１１は、電磁波発生素子３０が照射する電磁波の強度と透過波の強度となどから第２の周波数における透過率（第２のリファレンス透過率）を算出する。
【００５０】
また、リファレンス透過率を測定すると、プロセッサ１１は、検出センサ１００の第２の領域１００ｂの透過率（検出透過率）を第１の周波数及び第２の周波数で測定する機能を有する。
【００５１】
たとえば、プロセッサ１１は、電磁波発生素子３０からの電磁波が検出センサ１００の第２の領域１００ｂに照射されるように、駆動部６０を用いて検出センサ１００を移動させる。即ち、プロセッサ１１は、インターフェース１５を通じて駆動部６０に検出センサ１００を所定の位置に移動させる制御信号を送信する。駆動部６０は、当該制御信号に従って検出センサ１００を移動させる。
【００５２】
図６は、プロセッサ１１が電磁波発生素子３０からの電磁波が第２の領域１００ｂに照射されるように、検出センサ１００を移動させた状態の例である。図６が示すように、検出センサ１００は、電磁波発生素子３０が第２の領域１００ｂに電磁波を照射することができる位置に移動されている。
【００５３】
検出センサ１００に移動させると、プロセッサ１１は、電磁波発生素子３０を用いて第１の周波数の電磁波を検出センサ１００の第２の領域１００ｂに照射する。第１の周波数の電磁波を第２の領域１００ｂに照射すると、プロセッサ１１は、電磁波受光素子４０を用いて第２の領域１００ｂからの透過波の強度を取得する。
【００５４】
透過波の強度を取得すると、プロセッサ１１は、電磁波発生素子３０が照射する電磁波の強度と透過波の強度となどから第１の周波数における透過率（第１の検出透過率）を算出する。
【００５５】
第１の検出透過率を算出すると、プロセッサ１１は、電磁波発生素子３０を用いて第２の周波数の電磁波を検出センサ１００の第２の領域１００ｂに照射する。第２の周波数の電磁波を第２の領域１００ｂに照射すると、プロセッサ１１は、電磁波受光素子４０を用いて第２の領域１００ｂからの透過波の強度を取得する。
【００５６】
透過波の強度を取得すると、プロセッサ１１は、電磁波発生素子３０が照射する電磁波の強度と透過波の強度となどから第２の周波数における透過率（第２の検出透過率）を算出する。
【００５７】
また、検出透過率を測定すると、プロセッサ１１は、測定されたリファレンス透過率及び検出透過率に基づいて検出センサ１００の第２の領域１００ｂに被検出物があるか判定する機能を有する。
【００５８】
たとえば、プロセッサ１１は、第１のリファレンス透過率と第１の検出透過率とに差があるか判定する。プロセッサ１１は、第１のリファレンス透過率と第１の検出透過率との差が所定の閾値以上である場合に、両者に差があると判定してもよい。
【００５９】
第１のリファレンス透過率と第１の検出透過率とに差があるか判定すると、プロセッサ１１は、第２のリファレンス透過率と第２の検出透過率とに差があるか判定する。同様に、プロセッサ１１は、第２のリファレンス透過率と第２の検出透過率との差が所定の閾値以上である場合に、両者に差があると判定してもよい。
【００６０】
プロセッサ１１は、第１の周波数又は第２の周波数の少なくとも１つにおいてリファレンス透過率と検出透過率とに差がある場合に、被検出物を検出したと判定する。即ち、プロセッサ１１は、第１のリファレンス透過率と第１の検出透過率とに差がある場合又は第２のリファレンス透過率と第２の検出透過率とに差がある場合、被検出物を検出したと判定する。
【００６１】
他方、プロセッサ１１は、第１の周波数及び第２の周波数においてリファレンス透過率と検出透過率とに差がない場合に、被検出物がないと判定する。即ち、プロセッサ１１は、第１のリファレンス透過率と第１の検出透過率とに差がなく第２のリファレンス透過率と第２の検出透過率とに差がない場合、被検出物がないと判定する。
【００６２】
プロセッサ１１は、検出結果を表示部１７などに表示してもよい。プロセッサ１１は、通信部などを通じて検出結果を外部装置へ送信してもよい。
【００６３】
次に、制御装置１０の動作例について説明する。図７は、制御装置１０の動作例について説明するためのフローチャートである。ここでは、検出センサ１００は、電磁波発生素子３０からの電磁波が第１の領域１００ａに照射される位置にあるものとする。
【００６４】
まず、制御装置１０のプロセッサ１１は、第１の周波数で第１の領域１００ａの透過率（第１のリファレンス透過率）を測定する（ＡＣＴ１１）。第１のリファレンス透過率を測定すると、プロセッサ１１は、第２の周波数で第１の領域１００ａの透過率（第２のリファレンス透過率）を測定する（ＡＣＴ１２）。
【００６５】
第１のリファレンス透過率を測定すると、プロセッサ１１は、駆動部６０を用いて検出センサ１００を、電磁波発生素子３０からの電磁波が第２の領域１００ｂに照射される位置に移動させる（ＡＣＴ１３）。検出センサ１００を移動させると、プロセッサ１１は、第１の周波数で第２の領域１００ｂの透過率（第１の検出透過率）を測定する（ＡＣＴ１４）。第１の検出透過率を測定すると、プロセッサ１１は、第２の周波数で第２の領域１００ｂの透過率（第２の検出透過率）を測定する（ＡＣＴ１５）。
【００６６】
第２の検出透過率を測定すると、プロセッサ１１は、第１及び第２のリファレンス透過率と第１及び第２の検出透過率とをそれぞれ比較して少なくとも１つに差があるか判定する（ＡＣＴ１６）。
【００６７】
少なくとも１つに差があると判定すると（ＡＣＴ１６、ＹＥＳ）、プロセッサ１１は、第２の領域１００ｂに被検出物があると判定する（ＡＣＴ１７）。  
両者に差がないと判定すると（ＡＣＴ１６、ＮＯ）、プロセッサ１１は、第２の領域１００ｂに被検出物がないと判定する（ＡＣＴ１８）。
【００６８】
被検出物があると判定した場合、又は、被検出物がないと判定した場合、プロセッサ１１は、動作を終了する。
【００６９】
次に、プロセッサ１１がリファレンス透過率又は検出透過率を測定する動作例（ＡＣＴ１１、１２、１４及び１５）について説明する。ここでは、代表してＡＣＴ１１について説明する。ＡＣＴ１２、１４及び１５についてはＡＣＴ１１と同様であるため説明を省略する。
【００７０】
図８は、ＡＣＴ１１の動作例を説明するためのフローチャートである。  
まず、プロセッサ１１は、インターフェース１５を通じて第１の電圧を設定する制御信号をＤ／Ａコンバータ２０に送信する（ＡＣＴ２１）。当該制御信号をＤ／Ａコンバータ２０に送信すると、プロセッサ１１は、電圧を電磁波発生素子３０に印加することを指示する制御信号をＤ／Ａコンバータ２０に送信する（ＡＣＴ２２）。
【００７１】
当該制御信号をＤ／Ａコンバータ２０に送信すると、プロセッサ１１は、インターフェース１５を通じて透過波の強度を示すセンサ信号をＡ／Ｄコンバータ５０から受信する（ＡＣＴ２３）。
【００７２】
当該センサ信号を受信すると、プロセッサ１１は、透過波の強度などに基づいて第１のリファレンス透過率を算出する（ＡＣＴ２４）。第１のリファレンス透過率を算出すると、プロセッサ１１は、算出した第１のリファレンス透過率をＮＶＭ１４に格納する（ＡＣＴ２５）。  
リファレンス透過率を格納すると、プロセッサ１１は、動作を終了する。
【００７３】
次に、検出センサ１００の周波数特性について説明する。ここでは、第２の領域１００ｂに被検出物が添加されているものとする。
【００７４】
図９は、検出センサ１００の周波数特性について説明するためのグラフである。図９において、横軸は、電磁波の周波数を示す。縦軸は、透過率を示す。図９は、グラフ３０１及びグラフ３０２を示す。
【００７５】
グラフ３０１は、第１の領域１００ａの周波数特性を示す。また、グラフ３０２は、第２の領域１００ｂの周波数特性を示す。
【００７６】
図９が示すように、グラフ３０１及びグラフ３０２は、ピークを有する。グラフ３０２のピークは、被検出物の量に応じてグラフ３０１のピークよりも左（低い周波数）にずれる。
【００７７】
また、線４０１は、第１の周波数を示す。また、線４０２は、第２の周波数を示す。図９が示す例では、グラフ３０２における第１の周波数の電磁波の透過率は、グラフ３０１におけるそれと同一である。即ち、第１の周波数では、第２の領域２００ｂに被検出物が付与されても、第１の領域１００ａの透過率と第２の領域２００ｂの透過率とに差がない。
【００７８】
他方、グラフ３０２における第２の周波数の電磁波の透過率は、グラフ３０１におけるそれと異なる。即ち、第２の周波数では、第２の領域２００ｂに被検出物が付与されると、第１の領域１００ａの透過率と第２の領域２００ｂの透過率とに差が生じる。
【００７９】
プロセッサ１１は、第２のリファレンス透過率と第２の検出透過率とが一致しないと判定する。その結果、プロセッサ１１は、第２の領域２００ｂ上にある被検出物を検出することができる。
【００８０】
なお、検出センサ１００は、全体にサンプルから抽出した特定の被検出物を添加されてもよい。たとえば、プロセッサ１１は、添加前の検出センサ１００から第１及び第２のリファレンス透過率を測定する。また、プロセッサ１１は、添加後の検出センサ１００から第１及び第２の検出透過率を測定してもよい。
【００８１】
また、検出装置１は、３つ以上の周波数でリファレンス透過率及び検出透過率を測定してもよい。検出装置１は、少なくとも１つの周波数でリファレンス透過率と検出透過率とに差がある場合に、被検出物を検出したと判定する。
【００８２】
また、電磁波発生素子３０は、第１の周波数の電磁波を放射する電磁波発生素子と第２の周波数の電磁波を放射する電磁波発生素子とから構成されてもよい。
【００８３】
また、構造体１０２は、格子状に形成される導電体であってもよい。  
また、検出センサ１００は、基材１０１を有しなくともよい。
【００８４】
以上のように構成された検出装置は、検出センサに対して第１及び第２の周波数の電磁波を照射して透過率を測定する。そのため、検出装置は、サンプルから抽出した特定の被検出物が添加されていない第１の領域とサンプルから抽出した特定の被検出物が添加された第２の領域との透過率を第１及び第２の周波数の電磁波で測定することができる。
【００８５】
たとえば、第１の周波数でのみ透過率の変化を検出する場合、図９の第１の周波数の線４０１のみで検出する例が示す例では、検出装置は、被検出物によって第１の領域と第２の領域とで周波数特性が異なるにも関わらず、差を検出することができない。その結果、検出装置は、適切に被検出物を検出することができない。
【００８６】
他方、実施形態に係る検出装置は、第１及び第２の周波数の電磁波で透過率を検出する。その結果、検出装置は、どちらかの周波数で透過率に差が生じれば被検出物を検出することができる。図９が示す例では、検出装置は、第２の周波数において透過率の差を検出することができる。従って、検出装置は、適切に被検出物を検出することができる。  
よって、検出装置は、より精度よく被検出物を検出することができる。
【００８７】
また、第１の周波数でのみ透過率の変化を検出する場合であっても、第１の周波数と検出センサ１００の周波数特性のピークの位置とが一致すれば、検出装置は、透過率の差を検出することができる。しかしながら、検出センサの製造誤差などによって生じる個体差などによって第１の周波数とピークの位置とを完全に一致させることは、困難である。
【００８８】
第１及び第２の周波数の電磁波で透過率を検出することで、検出装置は、電磁波の周波数とピークの位置とを一致させなくとも、精度よく被検出物を検出することができる。
（第２の実施形態）
次に、第２の実施形態について説明する。  
第２の実施形態に係る検出装置１は、最も感度のよい周波数の電磁波で透過率を測定する点で第１の実施形態に係る検出装置１と異なる。従って、他の点については同一の符号を付して詳細な説明を省略する。
【００８９】
検出装置１の構成は、第１の実施形態のそれと同様であるため説明を省略する。
【００９０】
次に、制御装置１０が実現する機能について説明する。以下の機能は、制御装置１０のプロセッサ１１がＮＶＭ１４などに格納されるプログラムを実行することで実現される。  
まず、制御装置１０のプロセッサ１１は、検出センサ１００の第１の領域１００ａの透過率（リファレンス透過率）を複数の周波数の電磁波でそれぞれ測定する機能を有する。ここでは、プロセッサ１１は、第１の周波数の電磁波及び第２の周波数の電磁波でリファレンス透過率を測定する。第１の周波数の電磁波及び第２の周波数の電磁波でリファレンス透過率を測定する動作例については、第１の実施形態と同様であるため説明を省略する。
【００９１】
また、リファレンス透過率を測定すると、プロセッサ１１は、検出センサ１００の第２の領域２００ｂの透過率（検出透過率）を複数の周波数の電磁波でそれぞれ測定する機能を有する。ここでは、プロセッサ１１は、第１の周波数の電磁波及び第２の周波数の電磁波で検出透過率を測定する。第１の周波数の電磁波及び第２の周波数の電磁波で検出透過率を測定する動作例については、第１の実施形態と同様であるため説明を省略する。
【００９２】
また、プロセッサ１１は、リファレンス透過率と検出透過率との差が最も大きな周波数を検出に使用する周波数（検出用周波数）として特定する機能を有する。  
たとえば、プロセッサ１１は、第１のリファレンス透過率と第１の検出透過率との差を算出する。また、プロセッサ１１は、第２のリファレンス透過率と第２の検出透過率との差を算出する。プロセッサ１１は、差の大きな周波数（第１の周波数又は第２の周波数）を検出用周波数として特定する。プロセッサ１１は、特定した検出用周波数をＮＶＭ１４に格納する。
【００９３】
たとえば、プロセッサ１１は、初回の起動時において検出用周波数を特定する。また、プロセッサ１１は、オペレータの操作に従って検出用周波数を更新してもよい。たとえば、検出センサ１００（又は、検出センサ１００のロット）を交換した場合になどに、オペレータは、検出用周波数を更新させる操作を操作部１６などに入力する。
【００９４】
また、プロセッサ１１は、検出センサ１００の第１の領域１００ａの透過率（リファレンス透過率）を検出用周波数の電磁波で測定する機能を有する。  
検出用周波数の電磁波でリファレンス透過率を測定する動作例については、第１の実施形態において第１の周波数又は第２の周波数でリファレンス透過率を測定する動作例と同様であるため説明を省略する。
【００９５】
また、リファレンス透過率を測定すると、プロセッサ１１は、検出センサ１００の第２の領域２００ｂの透過率（検出透過率）を検出用周波数の電磁波で測定する機能を有する。  
検出用周波数の電磁波で検出透過率を測定する動作例については、第１の実施形態において第１の周波数又は第２の周波数で検出透過率を測定する動作例と同様であるため説明を省略する。
【００９６】
また、プロセッサ１１は、検出用周波数のリファレンス透過率と検出用周波数の検出透過率とに基づいて検出センサ１００の第２の領域２００ｂに被検出物があるか判定する機能を有する。
【００９７】
プロセッサ１１は、検出用周波数のリファレンス透過率と検出用周波数の検出透過率とに差があるか判定する。プロセッサ１１は、検出用周波数のリファレンス透過率と検出用周波数の検出透過率との差が所定の閾値以上である場合に、両者に差があると判定してもよい。
【００９８】
両者に差があると判定した場合、プロセッサ１１は、被検出物を検出したと判定する。また、両者に差がないと判定した場合、プロセッサ１１は、被検出物がないと判定する。
【００９９】
プロセッサ１１は、検出結果を表示部１７などに表示してもよい。プロセッサ１１は、通信部などを通じて検出結果を外部装置へ送信してもよい。
【０１００】
次に、制御装置１０の動作例について説明する。  
まず、制御装置１０が検出用周波数を特定する動作例について説明する。図１０は、制御装置１０が検出用周波数を特定する動作例について説明するためのフローチャートである。ここでは、検出センサ１００は、電磁波発生素子３０からの電磁波が第１の領域１００ａに照射される位置にあるものとする。
【０１０１】
まず、制御装置１０のプロセッサ１１は、複数の周波数で第１の領域１００ａの透過率（リファレンス透過率）をそれぞれ測定する（ＡＣＴ３１）。リファレンス透過率をそれぞれ測定すると、プロセッサ１１は、駆動部６０を用いて検出センサ１００を、電磁波発生素子３０からの電磁波が第２の領域２００ｂに照射される位置に移動させる（ＡＣＴ３２）。
【０１０２】
検出センサ１００を移動させると、プロセッサ１１は、複数の周波数で第２の領域２００ｂの透過率（検出透過率）をそれぞれ測定する（ＡＣＴ３３）。検出透過率をそれぞれ測定すると、プロセッサ１１は、リファレンス透過率と検出透過率とをそれぞれ比較して少なくとも１つに差があるか判定する（ＡＣＴ３４）。
【０１０３】
少なくとも１つに差があると判定すると（ＡＣＴ３４、ＹＥＳ）、プロセッサ１１は、第２の領域２００ｂに被検出物があると判定する（ＡＣＴ３５）。被検出物があると判定すると、プロセッサ１１は、差が最も大きな周波数を検出用周波数として特定する（ＡＣＴ３６）。
【０１０４】
両者に差がないと判定すると（ＡＣＴ３４、ＮＯ）、プロセッサ１１は、第２の領域２００ｂに被検出物がないと判定する（ＡＣＴ３７）。  
検出用周波数を特定する場合、又は、被検出物がないと判定した場合、プロセッサ１１は、動作を終了する。
【０１０５】
なお、両者に差がないと判定した場合（ＡＣＴ３４、ＮＯ）、プロセッサ１１は、次の検出処理においてもＡＣＴ３１乃至３７を実行してもよい。
【０１０６】
次に、制御装置１０が検出用周波数で被検出物を検出する動作例について説明する。図１１は、制御装置１０が検出用周波数で被検出物を検出する動作例について説明するためのフローチャートである。ここでは、検出センサ１００は、電磁波発生素子３０からの電磁波が第１の領域１００ａに照射される位置にあるものとする。
【０１０７】
まず、制御装置１０のプロセッサ１１は、検出用周波数で第１の領域１００ａの透過率（リファレンス透過率）を測定する（ＡＣＴ４１）。リファレンス透過率を測定すると、プロセッサ１１は、駆動部６０を用いて検出センサ１００を、電磁波発生素子３０からの電磁波が第２の領域２００ｂに照射される位置に移動させる（ＡＣＴ４２）。
【０１０８】
検出センサ１００を移動させると、プロセッサ１１は、検出用周波数で第２の領域２００ｂの透過率（検出透過率）を測定する（ＡＣＴ４３）。検出透過率を測定すると、プロセッサ１１は、リファレンス透過率と検出透過率とに差があるか判定する（ＡＣＴ４４）。
【０１０９】
差があると判定すると（ＡＣＴ４４、ＹＥＳ）、プロセッサ１１は、第２の領域２００ｂに被検出物があると判定する（ＡＣＴ４５）。
【０１１０】
差がないと判定すると（ＡＣＴ４４、ＮＯ）、プロセッサ１１は、第２の領域２００ｂに被検出物がないと判定する（ＡＣＴ４６）。  
被検出物があると判定した場合、又は、被検出物がないと判定した場合、プロセッサ１１は、動作を終了する。
【０１１１】
なお、プロセッサ１１は、３つ以上の異なる周波数でリファレンス透過率及び検出透過率を測定してもよい。プロセッサ１１は、３以上の周波数の中から差が最も大きな周波数を検出用周波数として特定してもよい。
【０１１２】
以上のように構成された検出装置は、リファレンス透過率と検出透過率との差が最も大きな周波数を特定する。その結果、検出装置は、最も感度がよい周波数を特定することができる。
【０１１３】
検出装置は、最も感度がよい周波数を用いて被検出物を検出する。その結果、検出装置は、２つ以上の周波数を用いた場合と同様に適切に被検出物を検出することができる。従って、検出装置は、２つ以上の周波数を用いなくとも適切に被検出物を検出することができる。
（第３の実施形態）
次に、第３の実施形態について説明する。  
第３の実施形態に係る検出装置は、電磁波発生素子３０及び電磁波受光素子４０を移動させる点で第１の実施形態に係る検出装置１と異なる。従って、他の点については同一の符号を付して詳細な説明を省略する。
【０１１４】
図１２は、第３の実施形態に係る検出装置２の構成例を示す。図１２が示すように、検出装置２は、制御装置１０、Ｄ／Ａコンバータ２０、電磁波発生素子３０、電磁波受光素子４０、Ａ／Ｄコンバータ５０、駆動部７０、駆動部８０及び検出センサ１００などを備える。  
制御装置１０と駆動部７０及び駆動部８０とは、互いに電気的に接続される。
【０１１５】
駆動部７０は、制御装置１０からの制御信号に従って電磁波発生素子３０を移動させる。駆動部７０は、電磁波を検出センサ１００の任意の位置に照射するため電磁波発生素子３０を移動させる。ここでは、駆動部７０は、照射される電磁波の方向と垂直な方向に電磁波発生素子３０を移動させる。駆動部７０は、たとえば、モータ及び駆動ベルトなどから構成される。
【０１１６】
駆動部８０は、制御装置１０からの制御信号に従って電磁波受光素子４０を移動させる。駆動部８０は、電磁波を検出センサ１００の任意の位置に照射するため電磁波受光素子４０を移動させる。ここでは、駆動部８０は、照射される電磁波の方向と垂直な方向に電磁波受光素子４０を移動させる。駆動部８０は、たとえば、モータ及び駆動ベルトなどから構成される。  
なお、駆動部７０と駆動部８０とは、一体的に構成されてもよい。
【０１１７】
次に、制御装置１０が実現する機能について説明する。制御装置１０は、第１の実施形態に係る制御装置１０の機能に加えて以下の機能を実現する。以下の機能は、制御装置１０のプロセッサ１１がＮＶＭ１４などに格納されるプログラムを実行することで実現される。
【０１１８】
プロセッサ１１は、第１の領域１００ａのリファレンス透過率を測定する場合、駆動部７０を用いて、電磁波が第１の領域１００ａに照射される位置に電磁波発生素子３０を移動させる。即ち、プロセッサ１１は、インターフェース１５を通じて駆動部７０に電磁波発生素子３０を所定の位置に移動させる制御信号を送信する。駆動部７０は、当該制御信号に従って電磁波発生素子３０を移動させる。
【０１１９】
また、プロセッサ１１は、駆動部８０を用いて、第１の領域１００ａを透過する透過波を受光可能な位置に電磁波受光素子４０を移動させる。即ち、プロセッサ１１は、インターフェース１５を通じて駆動部８０に電磁波受光素子４０を所定の位置に移動させる制御信号を送信する。駆動部８０は、当該制御信号に従って電磁波受光素子４０を移動させる。
【０１２０】
同様に、プロセッサ１１は、第２の領域２００ｂの検出透過率を測定する場合、駆動部７０を用いて、電磁波が第２の領域２００ｂに照射される位置に電磁波発生素子３０を移動させる。  
また、プロセッサ１１は、駆動部８０を用いて、第２の領域２００ｂを透過する透過波を受光可能な位置に電磁波受光素子４０を移動させる。
【０１２１】
制御装置１０の動作例については、第１の実施形態と同様であるため説明を省略する。
【０１２２】
なお、検出装置２は、第２の実施形態に係る検出装置１の特徴を備えてもよい。
【０１２３】
以上のように構成された検出装置は、検出センサを固定し、電磁波発生素子３０及び電磁波受光素子４０を移動する。その結果、検出装置は、検出センサを固定したままでリファレンス透過率及び検出透過率を測定することができる。
（第４の実施形態）
次に、第４の実施形態について説明する。  
第４の実施形態に係る検出装置は、検出センサ１００の反射率を測定する点で第１の実施形態に係る検出装置１と異なる。従って、他の点については同一の符号を付して詳細な説明を省略する。
【０１２４】
図１３は、第４の実施形態に係る検出装置３の構成例を示す。図１３が示すように、検出装置３は、制御装置１０、Ｄ／Ａコンバータ２０、電磁波発生素子３０、電磁波受光素子４０、Ａ／Ｄコンバータ５０、駆動部９０及び検出センサ２００などを備える。  
制御装置１０と駆動部９０とは、互いに電気的に接続される。
【０１２５】
電磁波発生素子３０は、検出センサ２００に電磁波を照射する。図１３が示すように、電磁波発生素子３０は、検出センサ２００に対して所定の角度で電磁波を照射する。
【０１２６】
電磁波受光素子４０は、電磁波発生素子３０が照射し検出センサ２００で反射した反射波の強度を検出する。図１３が示すように、電磁波受光素子４０は、検出センサ２００に対して所定の角度で反射される反射波を受光する。
【０１２７】
駆動部９０は、制御装置１０からの制御信号に従って検出センサ２００を移動させる。駆動部９０は、電磁波発生素子３０からの電磁波を検出センサ１００の任意の位置に照射するため、検出センサ２００を移動させる。ここでは、駆動部９０は、水平な方向に検出センサ２００を移動させる。駆動部９０は、たとえば、モータ及び駆動ベルトなどから構成される。
【０１２８】
次に、検出センサ２００について説明する。図１４は、検出センサ１００の上面図である。図１５は、Ｆ１５−Ｆ１５の断面図である。  
図１４及び図１５が示すように、検出センサ２００は、基材１０１及び構造体２０２などから構成される。
【０１２９】
構造体２０２は、電磁波発生素子３０が照射する電磁波を反射する。構造体２０２は、反射率における周波数特性においてピークを有する。構造体２０２は、ピークに寄与する所定の形状の構造体から構成される。構造体２０２は、電磁波発生素子３０が照射する電磁波の周波数帯においてピークを有することが望ましい。
【０１３０】
たとえば、構造体２０２は、金又はアルミニウムなどの導電体から形成される。構造体２０２は、複数の層を備える構造であってもよい。たとえば、構造体２０２は、基材１０１との接着層としてクロム又はチタンなどの層を備えてもよい。  
たとえば、構造体２０２の厚さは、０．１μから５０μｍの範囲である。たとえば、構造体２０２の厚さは、０．２μｍ程度である。
【０１３１】
構造体２０２は、相補型分割リング共振器を形成することに寄与する空隙２０３を有する。構造体２０２は、周期的に配置される複数の空隙２０３を有する。
【０１３２】
空隙２０３は、環状構造である。空隙２０３は、環の一部が切断する構造である。即ち、空隙２０３は、Ｃ字型に形成される。たとえば、空隙２０３の外寸は、１８μｍ程度である。また、空隙２０３の幅（隙間の幅）は、３μｍ程度である。  
構造体２０２は、空隙２０３によって相補型分割リング共振器を形成する。構造体２０２は、相補型分割リング共振器によってＬＣＲ（リアクタンス、コンダクタンス、レジスタンス）回路を形成する。構造体２０２は、ＬＣＲ回路によって所定の共振周波数において共振特性を有する。  
なお、空隙２０３の形状及び大きさは、特定の構成に限定されるものではない。
【０１３３】
検出センサ２００は、第１の領域２００ａ及び第２の領域２００ｂに分割される。  
第１の領域２００ａと第２の領域２００ｂとは、それぞれ同一の空隙２０３を有する。即ち、第１の領域２００ａと第２の領域２００ｂとは、被検出物が存在しない状態では、同一の周波数特性を有する。
【０１３４】
第１の領域２００ａは、サンプルから抽出した特定の被検出物が添加されない領域である。第１の領域２００ａは、検出センサ２００が元々有している周波数特性を有する。
【０１３５】
第２の領域２００ｂは、サンプルから抽出した特定の被検出物が添加される領域である。被検出物が存在する場合、第２の領域２００ｂの周波数特性は、変化する。即ち、第２の領域２００ｂの周波数特性のピークの位置が変化する。
【０１３６】
前述の通り、被検出物は、磁性ビーズを有する。また、被検出物は、抗体などで検出センサ２００の第２の領域２００ｂに固定される。
【０１３７】
第２の領域２００ｂの構造体２０２に磁性ビーズを有する被検出物が堆積すると、第２の領域２００ｂのＬＣＲ回路の特性が変化する。主に、第２の領域２００ｂのコンダクタンスが被検出物の磁性ビーズによって変化する。そのため、第２の領域２００ｂが有する共振周波数が変化し、第２の領域２００ｂの周波数特性が変化する。
【０１３８】
次に、制御装置１０が実現する機能について説明する。以下の機能は、制御装置１０のプロセッサ１１がＮＶＭ１４などに格納されるプログラムを実行することで実現される。  
ここでは、検出センサ２００の第２の領域２００ｂには、サンプルから抽出した特定の被検出物が添加されているものとする。
【０１３９】
まず、制御装置１０のプロセッサ１１は、検出センサ２００の第１の領域２００ａの反射率（リファレンス反射率）を第１の周波数及び第２の周波数で測定する機能を有する。
【０１４０】
たとえば、プロセッサ１１は、電磁波発生素子３０からの電磁波が検出センサ２００の第１の領域２００ａに照射されるように、駆動部９０を用いて検出センサ２００を移動させる。即ち、プロセッサ１１は、インターフェース１５を通じて駆動部９０に検出センサ２００を所定の位置に移動させる制御信号を送信する。駆動部９０は、当該制御信号に従って検出センサ２００を移動させる。
【０１４１】
図１３が示す例は、プロセッサ１１が電磁波発生素子３０からの電磁波が第１の領域２００ａに照射されるように、検出センサ２００を移動させた状態の例である。図１３が示すように、検出センサ２００は、電磁波発生素子３０が第１の領域２００ａに電磁波を照射することができる位置に移動されている。
【０１４２】
なお、検出センサ２００のデフォルトの位置が、電磁波発生素子３０からの電磁波が第１の領域２００ａに照射される位置であれば、プロセッサ１１は、検出センサ２００を移動させなくともよい。
【０１４３】
検出センサ２００に移動させると、プロセッサ１１は、電磁波発生素子３０を用いて第１の周波数の電磁波を検出センサ２００の第１の領域２００ａに照射する。第１の周波数の電磁波を第１の領域２００ａに照射すると、プロセッサ１１は、電磁波受光素子４０を用いて第１の領域２００ａからの反射波の強度を取得する。
【０１４４】
反射波の強度を取得すると、プロセッサ１１は、電磁波発生素子３０が照射する電磁波の強度と反射波の強度となどから第１の周波数における反射率（第１のリファレンス反射率）を算出する。
【０１４５】
第１のリファレンス反射率を算出すると、プロセッサ１１は、電磁波発生素子３０を用いて第２の周波数の電磁波を検出センサ２００の第１の領域２００ａに照射する。第２の周波数の電磁波を第１の領域２００ａに照射すると、プロセッサ１１は、電磁波受光素子４０を用いて第１の領域２００ａからの反射波の強度を取得する。
【０１４６】
反射波の強度を取得すると、プロセッサ１１は、電磁波発生素子３０が照射する電磁波の強度と反射波の強度となどから第２の周波数における反射率（第２のリファレンス反射率）を算出する。
【０１４７】
また、リファレンス反射率を測定すると、プロセッサ１１は、検出センサ２００の第２の領域２００ｂの反射率（検出反射率）を第１の周波数及び第２の周波数で測定する機能を有する。
【０１４８】
たとえば、プロセッサ１１は、電磁波発生素子３０からの電磁波が検出センサ２００の第２の領域２００ｂに照射されるように、駆動部９０を用いて検出センサ２００を移動させる。即ち、プロセッサ１１は、インターフェース１５を通じて駆動部９０に検出センサ２００を所定の位置に移動させる制御信号を送信する。駆動部９０は、当該制御信号に従って検出センサ２００を移動させる。
【０１４９】
図１６は、プロセッサ１１が電磁波発生素子３０からの電磁波が第２の領域２００ｂに照射されるように、検出センサ２００を移動させた状態の例である。図１６が示すように、検出センサ２００は、電磁波発生素子３０が第２の領域２００ｂに電磁波を照射することができる位置に移動されている。
【０１５０】
検出センサ２００に移動させると、プロセッサ１１は、電磁波発生素子３０を用いて第１の周波数の電磁波を検出センサ２００の第２の領域２００ｂに照射する。第１の周波数の電磁波を第２の領域２００ｂに照射すると、プロセッサ１１は、電磁波受光素子４０を用いて第２の領域２００ｂからの反射波の強度を取得する。
【０１５１】
反射波の強度を取得すると、プロセッサ１１は、電磁波発生素子３０が照射する電磁波の強度と反射波の強度となどから第１の周波数における反射率（第１の検出反射率）を算出する。
【０１５２】
第１の検出反射率を算出すると、プロセッサ１１は、電磁波発生素子３０を用いて第２の周波数の電磁波を検出センサ２００の第２の領域２００ｂに照射する。第２の周波数の電磁波を第２の領域２００ｂに照射すると、プロセッサ１１は、電磁波受光素子４０を用いて第２の領域２００ｂからの反射波の強度を取得する。
【０１５３】
反射波の強度を取得すると、プロセッサ１１は、電磁波発生素子３０が照射する電磁波の強度と反射波の強度となどから第２の周波数における反射率（第２の検出反射率）を算出する。
【０１５４】
また、検出反射率を測定すると、プロセッサ１１は、測定されたリファレンス反射率及び検出反射率に基づいて検出センサ２００の第２の領域２００ｂに被検出物があるか判定する機能を有する。
【０１５５】
たとえば、プロセッサ１１は、第１のリファレンス反射率と第１の検出反射率とに差があるか判定する。プロセッサ１１は、第１のリファレンス反射率と第１の検出反射率との差が所定の閾値以上である場合に、両者に差があると判定してもよい。
【０１５６】
第１のリファレンス反射率と第１の検出反射率とに差があるか判定すると、プロセッサ１１は、第２のリファレンス反射率と第２の検出反射率とに差があるか判定する。同様に、プロセッサ１１は、第２のリファレンス反射率と第２の検出反射率との差が所定の閾値以上である場合に、両者に差があると判定してもよい。
【０１５７】
プロセッサ１１は、第１の周波数又は第２の周波数の少なくとも１つにおいてリファレンス反射率と検出反射率とに差がある場合に、被検出物を検出したと判定する。即ち、プロセッサ１１は、第１のリファレンス反射率と第１の検出反射率とに差がある場合又は第２のリファレンス反射率と第２の検出反射率とに差がある場合、被検出物を検出したと判定する。
【０１５８】
他方、プロセッサ１１は、第１の周波数及び第２の周波数においてリファレンス反射率と検出反射率とに差がない場合に、被検出物がないと判定する。即ち、プロセッサ１１は、第１のリファレンス反射率と第１の検出反射率とに差がなく第２のリファレンス反射率と第２の検出反射率とに差がない場合、被検出物がないと判定する。
【０１５９】
プロセッサ１１は、検出結果を表示部１７などに表示してもよい。プロセッサ１１は、通信部などを通じて検出結果を外部装置へ送信してもよい。
【０１６０】
次に、制御装置１０の動作例について説明する。図１７は、制御装置１０の動作例について説明するためのフローチャートである。ここでは、検出センサ２００は、電磁波発生素子３０からの電磁波が第１の領域２００ａに照射される位置にあるものとする。
【０１６１】
まず、制御装置１０のプロセッサ１１は、第１の周波数で第１の領域２００ａの反射率（第１のリファレンス反射率）を測定する（ＡＣＴ５１）。第１のリファレンス反射率を測定すると、プロセッサ１１は、第２の周波数で第１の領域２００ａの反射率（第２のリファレンス反射率）を測定する（ＡＣＴ５２）。
【０１６２】
第１のリファレンス反射率を測定すると、プロセッサ１１は、駆動部９０を用いて検出センサ２００を、電磁波発生素子３０からの電磁波が第２の領域２００ｂに照射される位置に移動させる（ＡＣＴ５３）。検出センサ２００を移動させると、プロセッサ１１は、第１の周波数で第２の領域２００ｂの反射率（第１の検出反射率）を測定する（ＡＣＴ５４）。第１の検出反射率を測定すると、プロセッサ１１は、第２の周波数で第２の領域２００ｂの反射率（第２の検出反射率）を測定する（ＡＣＴ５５）。
【０１６３】
第２の検出反射率を測定すると、プロセッサ１１は、第１及び第２のリファレンス反射率と第１及び第２の検出反射率とをそれぞれ比較して少なくとも１つに差があるか判定する（ＡＣＴ５６）。
【０１６４】
少なくとも１つに差があると判定すると（ＡＣＴ５６、ＹＥＳ）、プロセッサ１１は、第２の領域２００ｂに被検出物があると判定する（ＡＣＴ５７）。  
両者に差がないと判定すると（ＡＣＴ５６、ＮＯ）、プロセッサ１１は、第２の領域２００ｂに被検出物がないと判定する（ＡＣＴ５８）。
【０１６５】
被検出物があると判定した場合、又は、被検出物がないと判定した場合、プロセッサ１１は、動作を終了する。
【０１６６】
なお、検出装置１は、駆動部を用いて電磁波発生素子３０及び電磁波受光素子４０を移動させてもよい。たとえば、プロセッサ１１は、第１の領域２００ａの反射率を測定する場合、電磁波が第１の領域２００ａに照射される位置に電磁波発生素子３０を移動させる。また、プロセッサ１１は、第１の領域２００ａからの反射波を受光可能な位置に電磁波受光素子４０を移動させる。
【０１６７】
また、プロセッサ１１は、第２の領域２００ｂの反射率を測定する場合、電磁波が第２の領域２００ｂに照射される位置に電磁波発生素子３０を移動させる。また、プロセッサ１１は、第２の領域２００ｂからの反射波を受光可能な位置に電磁波受光素子４０を移動させる。
【０１６８】
また、検出装置３は、第２の実施形態に係る検出装置１の特徴を備えてもよい。また、検出装置３は、第３の実施形態に係る検出装置２の特徴を備えてもよい。
【０１６９】
また、検出センサ２００は、基材１０１を備えなくともよい。  
また、検出装置３は、検出センサ２００の代わりに検出センサ１００を用いてもよい。
【０１７０】
以上のように構成された検出装置３は、検出センサに対して複数の周波数の電磁波を照射して反射率を測定する。そのため、検出装置は、サンプルから抽出した特定の被検出物が添加されていない第１の領域とサンプルから抽出した特定の被検出物が添加された第２の領域との反射率を複数の周波数の電磁波で測定することができる。
【０１７１】
従って、第１の実施形態と同様に、検出装置は、より精度よく被検出物を検出することができる。
【０１７２】
なお、第１又は２の実施形態に係る検出装置１は、検出センサ１００の代わりに検出センサ２００を用いてもよい。第３の実施形態に係る検出装置２は、検出センサ１００の代わりに検出センサ２００を用いてもよい。
【０１７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１７４】
１乃至３…検出装置、１０…制御装置、１１…プロセッサ、１４…ＮＶＭ、１５…インターフェース、２０…Ｄ／Ａコンバータ、３０…電磁波発生素子、４０…電磁波受光素子、５０…Ａ／Ｄコンバータ、６０乃至９０…駆動部、１００…検出センサ、１００ａ及び１００ｂ…領域、１０１…基材、１０２…構造体、２００…検出センサ、２００ａ及び２００ｂ…領域、２０２…構造体、２０３…空隙。
【図１】
2019049453.tif 000003
【図２】
2019049453.tif 000004
【図３】
2019049453.tif 000005
【図４】
2019049453.tif 000006
【図５】
2019049453.tif 000007
【図６】
2019049453.tif 000008
【図７】
2019049453.tif 000009
【図８】
2019049453.tif 000010
【図９】
2019049453.tif 000011
【図１０】
2019049453.tif 000012
【図１１】
2019049453.tif 000013
【図１２】
2019049453.tif 000014
【図１３】
2019049453.tif 000015
【図１４】
2019049453.tif 000016
【図１５】
2019049453.tif 000017
【図１６】
2019049453.tif 000018
【図１７】
2019049453.tif 000019